(57)【特許請求の範囲】
【請求項１】
光加入者線終端装置及び光加入者線ネットワーク装置を備え、前記光加入者線終端装置から前記光加入者線ネットワーク装置への片方向通信を行う受動光ネットワークシステムであって、
前記光加入者線終端装置は、
前記光加入者線ネットワーク装置に対する契約情報に基づいて、利用可能な映像信号を透過し、他の映像信号を廃棄するよう指示するフィルタ設定信号を、所定の時間間隔で前記光加入者線ネットワーク装置宛てに送信するフィルタ信号送信部を備え、
前記光加入者線ネットワーク装置は、
前記光加入者線終端装置から自装置宛ての前記フィルタ設定信号を受信した場合に、前記フィルタ設定信号に基づいて、透過対象の映像信号を示す情報を、フィルタ情報記憶部が記憶するフィルタテーブルに書き込むフィルタ設定部と、
前記フィルタテーブルに従って、前記光加入者線終端装置から受信した映像信号のうち、透過対象の映像信号を配下の装置に送信し、他の映像信号を廃棄する映像信号送信部とを備える、
ことを特徴とする受動光ネットワークシステム。
【請求項２】
前記フィルタ設定部は、自装置が電源を停止した際に、前記フィルタテーブルを消去する、
ことを特徴とする請求項１に記載の受動光ネットワークシステム。
【請求項３】
前記フィルタ信号送信部は、前記光加入者線ネットワーク装置に対する契約終了時に、フィルタテーブルの消去を指示するフィルタテーブル消去信号を一定の期間連続して前記光加入者線ネットワーク装置宛てに送信し、
前記フィルタ設定部は、前記光加入者線終端装置から自装置宛ての前記フィルタテーブル消去信号を受信した場合に、前記フィルタ情報記憶部に記憶される前記フィルタテーブルを消去する、
ことを特徴とする請求項１又は請求項２に記載の受動光ネットワークシステム。
【請求項４】
前記フィルタ設定信号は、宛先の前記光加入者線ネットワーク装置において映像信号を透過させる有効期間の情報を含み、
前記映像信号送信部は、前記有効期間の情報に基づいて、前記光加入者線終端装置から受信した映像信号を透過又は廃棄する、
ことを特徴とする請求項１又は請求項２に記載の受動光ネットワークシステム。
【請求項５】
光加入者線終端装置及び光加入者線ネットワーク装置を備え、前記光加入者線終端装置から前記光加入者線ネットワーク装置への片方向通信を行う受動光ネットワークシステムが実行する映像配信方法であって、
前記光加入者線終端装置が、
前記光加入者線ネットワーク装置に対する契約情報に基づいて、利用可能な映像信号を透過し、他の映像信号を廃棄するよう指示するフィルタ設定信号を、所定の時間間隔で前記光加入者線ネットワーク装置宛てに送信するフィルタ信号送信ステップと、
前記光加入者線ネットワーク装置が、
前記光加入者線終端装置から自装置宛ての前記フィルタ設定信号を受信した場合に、前記フィルタ設定信号に基づいて、透過対象の映像信号を示す情報を、フィルタ情報記憶部が記憶するフィルタテーブルに書き込むフィルタ設定ステップと、
前記フィルタテーブルに従って、前記光加入者線終端装置から受信した映像信号のうち、透過対象の映像信号を配下の装置に送信し、他の映像信号を廃棄する映像信号送信ステップと、
を有することを特徴とする映像配信方法。
【発明の詳細な説明】
【技術分野】
【０００１】
本発明は、受動光ネットワークシステム及び映像配信方法に関する。
【背景技術】
【０００２】
ＰＯＮ（Passive Optical Network；受動光ネットワーク）システムにおいて、効率的に映像配信を行う配信方式として、ＰＯＮマルチキャスト方式がある（例えば、非特許文献１、非特許文献２参照）。
【０００３】
図１０は、従来技術のＰＯＮシステムを用いた映像配信システムの構成図、及び、ＰＯＮマルチキャスト方式の一例を示す。この例では、ＯＬＴ（Optical Line Terminal；光加入者線終端装置）は、中継ＮＷ(ネットワーク）を介して配信サーバから映像信号を受信し、受信した映像信号のマルチキャストパケットを、ブロードキャスト用論理リンクを用いて同報配信する。ＯＮＵ（Optical Network Unit、光加入者線ネットワーク装置)は、同報配信されたマルチキャストパケットのフレームを透過又は廃棄するフィルタ動作を行う。ＯＮＵにおけるフレーム透過／廃棄の制御方法は、非特許文献１の図１に示される。この制御方法では、ＯＬＴが、ＳＴＢ（セット・トップ・ボックス）などのＯＮＵ配下の装置からの視聴要求を受信して内部処理し、例えば、ＯＡＭ（Operation, Administration, and Maintenance）フレームを用いて、ＯＮＵのフィルタの動作を制御することが考えられる。
また、ＯＬＴからＯＮＵのフィルタ動作の制御を行った後、ＯＮＵフィルタの状態をＯＮＵからＯＬＴに通知することにより、ＯＮＵのフィルタが正しく制御されているかどうかについて、システムとして確認することができる。
この方式は、同報用パス内で同一チャネルの重複配信がないため、帯域利用効率に優れている。また、ＯＬＴにおいて視聴要求ユーザを管理してパケットをコピー転送する必要が無いため、コピー負荷の観点からも望ましい方法だと言える。
【０００４】
一方、放送波を使用した番組の配信に、限定受信方式（ＣＡＳ：Conditional Access System）がある（例えば、非特許文献３参照）。この方式では、ＣＡＳカードが挿入された全ての受信端末に向けて、加入者ごとの個別の契約情報（ＥＭＭ：Entitlement Management Massage）が送信される。
【先行技術文献】
【非特許文献】
【０００５】
【非特許文献１】宮本正和，河野伸也，早瀬清史，大高明浩，「E-PONにおけるマルチキャスト配信方式に関する一提案」，2010年電子情報通信学会総合大会，2010年3月，B-6-124，p.124
【非特許文献２】宮本正和，佐藤裕昭，「高速ザッピング性能を備えた多分岐E-PONアクセスにおけるIPマルチキャスト配信制御法に関する研究」，社団法人  電子情報通信学会，信学技報，2012年3月，NS2011-254，p.421-426
【非特許文献３】「CASについて  JCTEA STD-001-2.3」，一般社団法人日本CATV技術協会，2012年5月
【発明の概要】
【発明が解決しようとする課題】
【０００６】
前述の通り、図１０に記載したような従来技術のＰＯＮシステムによる映像配信は、ユーザ宅にあるＳＴＢからの視聴要求をトリガとして、映像配信フレームをＯＮＵ配下に透過させる方法である。この映像配信の方法では、映像を視聴するには、ＳＴＢからの視聴要求を行うために、ＯＮＵからＯＬＴへの上り方向の信号送信が必須である。これを実現するためには、ＰＯＮシステムが双方向型のシステムでなければならない。
【０００７】
しかし、ＰＯＮシステムを双方向型のシステムとした場合、ＯＮＵやＯＬＴに上り送信用／受信用の機能やデバイスが必要なため、高コストとなってしまう。ＯＮＵやＯＬＴを経済化するためには、システムを片方向型とする事が考えられる。しかし、単に片方向型とするだけでは、ＯＮＵの状態をＯＬＴが監視する事が困難となるため、そのような環境下でも信頼性高くＯＮＵを制御可能とする必要がある。
【０００８】
片方向の端末制御方法として、上述したＣＡＳがある。ＣＡＳでは、放送波を使い、ＣＡＳカードが挿入された全ての受信端末に向けて、加入者ごとの個別の契約情報（ＥＭＭ）が送信される。そのため、ＣＡＳでは、ユーザ数の増加に対して、ＥＭＭの情報量も比例して増加する。よって、伝送帯域の圧迫を招き、非効率である。
【０００９】
上述の課題を鑑み、本発明は、片方向通信により、信頼性が高い映像配信を行うことができる受動光ネットワークシステム及び映像配信方法を提供することを目的とする。
【課題を解決するための手段】
【００１０】
本発明の一態様は、光加入者線終端装置及び光加入者線ネットワーク装置を備え、前記光加入者線終端装置から前記光加入者線ネットワーク装置への片方向通信を行う受動光ネットワークシステムであって、前記光加入者線終端装置は、前記光加入者線ネットワーク装置に対する契約情報に基づいて、利用可能な映像信号を透過し、他の映像信号を廃棄するよう指示するフィルタ設定信号を、所定の時間間隔で前記光加入者線ネットワーク装置宛てに送信するフィルタ信号送信部を備え、前記光加入者線ネットワーク装置は、前記光加入者線終端装置から自装置宛ての前記フィルタ設定信号を受信した場合に、前記フィルタ設定信号に基づいて、透過対象の映像信号を示す情報を、フィルタ情報記憶部が記憶するフィルタテーブルに書き込むフィルタ設定部と、前記フィルタテーブルに従って、前記光加入者線終端装置から受信した映像信号のうち、透過対象の映像信号を配下の装置に送信し、他の映像信号を廃棄する映像信号送信部とを備える。
【００１１】
本発明の一態様は、上述の受動光ネットワークシステムであって、前記フィルタ設定部は、自装置が電源を停止した際に、前記フィルタテーブルを消去する。
【００１２】
本発明の一態様は、上述の受動光ネットワークシステムであって、前記フィルタ信号送信部は、前記光加入者線ネットワーク装置に対する契約終了時に、フィルタテーブルの消去を指示するフィルタテーブル消去信号を一定の期間連続して前記光加入者線ネットワーク装置宛てに送信し、前記フィルタ設定部は、前記光加入者線終端装置から自装置宛ての前記フィルタテーブル消去信号を受信した場合に、前記フィルタ情報記憶部に記憶される前記フィルタテーブルを消去する。
【００１３】
本発明の一態様は、上述の受動光ネットワークシステムであって、前記フィルタ設定信号は、宛先の前記光加入者線ネットワーク装置において映像信号を透過させる有効期間の情報を含み、前記映像信号送信部は、前記有効期間の情報に基づいて、前記光加入者線終端装置から受信した映像信号を透過又は廃棄する。
【００１４】
本発明の一態様は、光加入者線終端装置及び光加入者線ネットワーク装置を備え、前記光加入者線終端装置から前記光加入者線ネットワーク装置への片方向通信を行う受動光ネットワークシステムが実行する映像配信方法であって、前記光加入者線終端装置が、前記光加入者線ネットワーク装置に対する契約情報に基づいて、利用可能な映像信号を透過し、他の映像信号を廃棄するよう指示するフィルタ設定信号を、所定の時間間隔で前記光加入者線ネットワーク装置宛てに送信するフィルタ信号送信ステップと、前記光加入者線ネットワーク装置が、前記光加入者線終端装置から自装置宛ての前記フィルタ設定信号を受信した場合に、前記フィルタ設定信号に基づいて、透過対象の映像信号を示す情報を、フィルタ情報記憶部が記憶するフィルタテーブルに書き込むフィルタ設定ステップと、前記フィルタテーブルに従って、前記光加入者線終端装置から受信した映像信号のうち、透過対象の映像信号を配下の装置に送信し、他の映像信号を廃棄する映像信号送信ステップと、を有する。
【発明の効果】
【００１５】
本発明によれば、片方向通信により、信頼性が高い映像配信を行うことができる。
【図面の簡単な説明】
【００１６】
【図１】本発明の第１の実施形態における映像配信システムの構成図である。
【図２】同実施形態における映像配信システムの動作概要を示す図である。
【図３】同実施形態における映像配信システムによるフィルタ設定信号の送受信シーケンス図である。
【図４】第２の実施形態における映像配信システムの構成図である。
【図５】同実施形態における映像配信システムの動作概要を示す図である。
【図６】同実施形態における映像配信システムによるフィルタテーブル消去信号の送受信シーケンス図である。
【図７】第３の実施形態における映像配信システムの構成図である。
【図８】同実施形態における映像配信システムの動作概要を示す図である。
【図９】同実施形態における映像配信システムによるフィルタ設定信号の送受信シーケンス図である。
【図１０】従来技術のＰＯＮシステムを用いた映像配信システムの構成図、及び、ＰＯＮマルチキャスト方式の一例を示す図である。
【発明を実施するための形態】
【００１７】
本発明の実施形態について図面を参照して詳細に説明する。
【００１８】
［第１の実施形態］
図１は、第１の実施形態による映像配信システム１の構成図である。映像配信システム１は、配信サーバ２と、ＯＬＴ（Optical Line Terminal；光加入者線終端装置）３と、ＯＮＵ（Optical Network Unit、光加入者線ネットワーク装置)４と、ＳＴＢ（セット・トップ・ボックス）５と、視聴端末６とを備えて構成される。
【００１９】
同図では、配信サーバ２を複数台示しているが、映像配信システム１は、配信サーバ２を１台のみ備えてもよい。配信サーバ２とＯＬＴ３とは、中継ＮＷ（ネットワーク）８を介して接続される。各配信サーバ２は、中継ＮＷ８を介して下りの片方向通信により映像信号をＯＬＴ３に配信する。
【００２０】
ＯＬＴ３及びＯＮＵ４は、ＰＯＮ（Passive Optical Network；受動光ネットワーク）システムを構成する。同図では、ＯＮＵ４を複数台示しているが、映像配信システム１は、ＯＮＵ４を１台のみ備えてもよい。以下では、ＰＯＮシステムの区間を、ＰＯＮ区間とも記載する。ＯＬＴ３は、各ＯＮＵ４とそれぞれ、アクセス伝送路９を介して接続される。
【００２１】
ＯＬＴ３は、配信サーバ２から受信した映像信号をＯＮＵ４に同報配信（ブロードキャスト）する。ＯＬＴ３は、通信部３１と、契約情報記憶部３２と、フィルタ信号送信部３３とを備える。
通信部３１は、ＯＬＴ３からＯＮＵ４への下り方向の片方向通信を行う。通信部３１は、中継ＮＷ８を介して上位の配信サーバ２から映像信号を受信する。通信部３１は、受信した映像信号をＰＯＮフレームに変換し、アクセス伝送路９を介して全てのＯＮＵ４に同報配信する。
【００２２】
契約情報記憶部３２は、各ユーザの契約情報を記憶する。契約情報は、ユーザが視聴可能な映像に関する情報と、ユーザが保有するＯＮＵ４の識別情報を示す。視聴可能な映像に関する情報は、例えば、映像信号の配信元の配信サーバ２を特定する情報や、その配信サーバ２が属する配信チャネルにより示すことができる。
【００２３】
フィルタ信号送信部３３は、各ＯＮＵ４に定期的にフィルタ設定信号を送信する。フィルタ設定信号は、契約情報記憶部３２に記憶されるユーザの契約情報に基づき、特定の（視聴可能な）映像信号は透過し、その他の（視聴不可の）映像信号は廃棄するよう、そのユーザのＯＮＵ４に指示するため信号である。例えば、フィルタ設定信号には、各配信サーバ２から送信され、ＯＬＴ３により同報配信された映像信号を、透過させて配下のＳＴＢ５に転送するか、透過させずに廃棄するかのフィルタ動作を規定するフィルタ情報が設定される。この時、フィルタ信号送信部３３は、フィルタ設定信号に、宛先のＯＮＵ４を個別に識別する情報であるＯＮＵ識別子を設定する。このＯＮＵ識別子としては、例えばＯＮＵ４のＭＡＣアドレスを用いることができる。
【００２４】
ＯＮＵ４は、フィルタ設定信号により指示されたフィルタ動作に基づいて、ＯＬＴ３から受信した映像信号のうち、契約によってユーザが視聴可能な映像信号のみをＳＴＢ５に出力し、視聴不可の映像信号を廃棄するフィルタ動作を行う。ＯＮＵ４は、上位通信部４１と、フィルタ設定部４２と、フィルタ情報記憶部４３と、フィルタ部４４と、下位通信部４５とを備える。
【００２５】
上位通信部４１は、ＯＬＴ３から受信した下り方向の通信を受信し、フィルタ部４４に出力する。
フィルタ設定部４２は、上位通信部４１がＯＬＴ３から受信した信号からフィルタ設定信号を抽出する。フィルタ設定部４２は、抽出したフィルタ設定信号が自装置宛であった場合に、そのフィルタ設定信号から得たフィルタ情報を、フィルタ情報記憶部４３に記憶されるフィルタテーブルに書き込む。フィルタ設定部４２は、抽出したフィルタ設定信号が自装置宛のフィルタ設定信号でない場合には、そのフィルタ設定信号を廃棄する。
フィルタ情報記憶部４３は、フィルタテーブルを記憶する。フィルタテーブルには、各配信サーバ２が送信元の映像信号を透過させるか否かのフィルタ動作を規定したフィルタ情報が登録される。
【００２６】
フィルタ部４４は、フィルタ情報記憶部４３に記憶されるフィルタテーブルに従って、ＯＬＴ３から同報配信された映像信号を、下位通信部４５に透過させるか、廃棄する。なお、フィルタ部４４は、フィルタ情報記憶部４３にフィルタテーブルが記憶されていない場合、映像信号を全て廃棄する。
下位通信部４５は、フィルタ部４４が透過させた映像信号のフレーム変換を行い、ＳＴＢ５に送信する。なお、フレーム変換は、上位通信部４１又はフィルタ部４４で行ってもよい。
フィルタ部４４及び下位通信部４５は、フィルタテーブルに従って、ＯＬＴ３から受信した映像信号のうち、透過可能な映像信号を配下の装置に送信し、他の映像信号を廃棄する映像信号送信部を構成する。
【００２７】
ＯＮＵ４、ＳＴＢ５及び視聴端末６は、ユーザ宅に設置される。各ＯＮＵ４には、ＳＴＢ５が接続され、各ＳＴＢ５には視聴端末６が接続される。ＳＴＢ５は、ＯＮＵ４から受信した映像信号を視聴端末６に送信する。視聴端末６は、例えば、パーソナルコンピュータ、タブレット端末、テレビジョン受信機などである。視聴端末６は、ＳＴＢ５から受信した映像信号を再生し、映像及び音声を出力する。
【００２８】
図２は、映像配信システム１の動作概要を示す図である。
ＯＬＴ３のフィルタ信号送信部３３は、契約情報に基づくフィルタ設定信号を、所定の時間間隔で連続して継続的に各ＯＮＵ４に送信する。このことによって、ＯＮＵ４からの上り信号が無い場合であっても、信頼性の高いフィルタ設定が可能となる。このフィルタ設定により、同図に示す各ＯＮＵ４は、そのＯＮＵ４を使用するユーザが契約により視聴可能な映像データのみを透過させて配下のＳＴＢ５に配信する。
【００２９】
フィルタ設定信号のフォーマットとしては、例えば拡張ＯＡＭフレームを用いることができる。この場合、ＯＬＴ３は、上位の配信サーバ２から配信された映像信号の送信フレームである映像配信フレームに、フィルタ設定用の拡張ＯＡＭ（Operation, Administration, and Maintenance;運用管理およびメンテナンス）フレームを時間軸上で多重（ＴＤＭ；時分割多重）した上で、ＰＯＮ区間に配信する。
【００３０】
また、別のフォーマットの例としては、参考文献１に記載されているように、ITU-T G.989.2で検討されているような低周波重畳を施した外部チャネルを用いることが考えられる。外部チャネルを用いる方式では、上述したＴＤＭ方式とは異なり、フィルタ設定信号の伝送帯域が映像信号の使用帯域には干渉しないため、映像配信の帯域利用効率の面では優れるという特徴がある。
【００３１】
（参考文献１）本田一暁，小林孝行，島田達也，寺田純，大高明浩，「管理制御信号重畳によるCPRI信号への影響評価」，2015年電子情報通信学会ソサイエティ大会，2015年9月，B-8-9，p.119
【００３２】
また、ＯＮＵ４のフィルタ部４４によるフィルタ動作としては、例えばＶＬＡＮフィルタによる方法が考えられる。この場合、各配信サーバ２や映像コンテンツグループなどに所定のＶＬＡＮを対応づけておき、かつ、ＯＬＴ３／ＯＮＵ４へはそれらの対応関係を図示しないオペレーションシステム経由などで、流通しておく。
ＯＬＴ３から送信されるフィルタ設定信号には、フィルタの設定対象のＯＮＵ４を識別する識別子（ＭＡＣアドレスなどが考えられるが、この限りではない）と、そのＯＮＵ４のフィルタ情報とが含まれる。このフィルタ情報は、設定対象のＯＮＵ４における各ＶＬＡＮ−ＩＤフレームの転送処理の情報である。ＯＬＴ３のフィルタ信号送信部３３からは、ＯＬＴ３配下の全ての制御対象のＯＮＵ４に対するフィルタ設定信号が、ＰＯＮ区間を介して配信される。
【００３３】
ＰＯＮでは、全ＯＮＵ４に下り信号が配信される。各ＯＮＵ４のフィルタ設定部４２は、受信した全てのＯＮＵ４宛てのフィルタ設定信号のうち、前述のＯＮＵ識別子を確認することで、自装置宛てのフィルタ設定信号だけを抽出する。フィルタ設定部４２は、抽出したフィルタ設定信号に含まれる各ＶＬＡＮ−ＩＤフレームの転送処理の情報をフィルタ情報記憶部４３に記憶されるフィルタテーブルに書き込む。これにより、フィルタ部４４は、ＯＬＴ３により同報配信された映像信号を受信すると、配信サーバ２又はＯＬＴ３において各映像信号のフレームに付加されたＶＬＡＮ−ＩＤによって、その映像信号を透過させてＳＴＢ５宛てに転送するか、ＳＴＢ５に転送せずに廃棄するかを制御することができる。ＶＬＡＮ−ＩＤは、映像信号の送信元の配信サーバ２において設定されるが、ＯＬＴ３が映像信号の送信元の配信サーバ２に対応して設定してもよい。
【００３４】
ＯＮＵ４のフィルタ設定部４２は、上記のような動作で、フィルタテーブルに各ＶＬＡＮ−ＩＤのフレームを透過させるか廃棄するかの処理の情報を管理する。フィルタ部４４のフィルタ動作では、そのフィルタテーブルの内容に応じてＶＬＡＮフィルタリング処理を行う。
なお、上記ではＶＬＡＮによるフィルタ方法について述べたが、これに限定するものではなく、映像信号の送信元の配信サーバ２を識別するＭＡＣアドレスやＩＰアドレスなどを用いた方法でもよく、これらの識別子の組み合わせによる方法でもよい。
【００３５】
ＯＮＵ４のフィルタ設定部４２は、自装置の電源がＯＦＦ（停止）となった場合、フィルタ情報記憶部４３に記憶されるフィルタテーブルを消去する。電源ＯＦＦであるときにもフィルタテーブルが残っていると、このＯＮＵ４が取り外されて契約していないユーザに渡ったときに、新たに契約を行わなくても映像を視聴できてしまう。そこで、フィルタ設定部４２は、電源ＯＦＦに伴いフィルタテーブルを消去することにより、このような事態を回避することができる。なお、ユーザ宅内での停電等で電源断になった場合も、ＯＮＵ４はフィルタテーブルが消去されてしまう。しかし、ＯＬＴ３は所定の時間間隔で継続的に連続してフィルタ設定信号を送信するため、この場合は、電源復旧後にＯＮＵ４が立ち上がったのち、ＯＬＴ３からフィルタ設定信号を受信する。これにより、ＯＮＵ４のフィルタ情報記憶部４３に改めてフィルタテーブルが設定される。従って、ユーザは、配信された映像を正常に視聴することができる。
【００３６】
図３は、映像配信システム１におけるフィルタ設定信号の送受信シーケンス図である。以下では、ｎ台のＯＮＵ４のうち、ｉ台目のＯＮＵ４をＯＮＵ４−ｉと記載する。
ＯＬＴ３に、配下のＯＮＵ４−ｉに関する新規の契約情報が外部の装置（図示せず）から通知される(ステップＳ１０５）。ＯＬＴ３の契約情報記憶部３２は、通知された新規の契約情報を記憶する。フィルタ信号送信部３３は、契約情報記憶部３２に記憶される契約情報に基づき、ＯＮＵ４−ｉに対するフィルタ設定信号を生成する（ステップＳ１１０）。フィルタ信号送信部３３は、ＯＮＵ４−ｉに対するフィルタ設定信号の送信を開始する(ステップＳ１１５）。通信部３１は、フィルタ信号送信部３３が生成したＯＮＵ４−ｉ用のフィルタ設定信号を、アクセス伝送路９を介して配信する(ステップＳ１２０）。
【００３７】
一方、ユーザ宅にＯＮＵ４−ｉが設置され、電源が起動される(ステップＳ１２５）。起動後、ＯＮＵ４−ｉのフィルタ設定部４２は、上位通信部４１が受信した信号からフィルタ設定信号を取得し、自装置のＯＮＵ識別子が設定されているか否かを判定する(ステップＳ１３０）。フィルタ設定部４２は、自装置のＯＮＵ識別子が設定されていないと判断した場合、フィルタ設定信号を廃棄する。フィルタ設定部４２は、自装置のＯＮＵ識別子が設定されていると判断した場合、フィルタ設定信号からフィルタ情報を取得し、取得したフィルタ情報を設定したフィルタテーブルをフィルタ情報記憶部４３に書き込む（ステップＳ１３５）。これにより、フィルタ部４４は、配下のＳＴＢ５に自装置宛ての映像信号のフレームの送信を開始する（ステップＳ１４０）。つまり、フィルタ部４４は、ＯＬＴ３から同報配信される映像信号のうち、フィルタテーブルに透過対象であることが設定されている映像信号のフレームを下位通信部４５に透過し、他の映像信号は廃棄する。下位通信部４５は、フィルタ部４４が透過させた映像信号のフレームを配下のＳＴＢ５に送信する。
【００３８】
ＯＬＴ３は、ステップＳ１２０の処理を繰り返し、ＯＮＵ４−ｉ宛ての（ＯＮＵ４−ｉ用の）フィルタ設定信号を周期的に送信する。ＯＮＵ４−ｉは、ＯＬＴ３から周期的に送信されるフィルタ設定信号を受信して、ステップＳ１３０〜ステップＳ１３５の処理を行う。
【００３９】
ＯＮＵ４−ｉの電源が一旦停止（ＯＦＦ）された後、再び起動（ＯＮ）されると（ステップＳ２０５）、フィルタ設定部４２は、フィルタ情報記憶部４３に記憶されるフィルタテーブルを消去する（ステップＳ２１０）。ＯＮＵ４−ｉは、ＯＬＴ３が周期的に送信するフィルタ設定信号を取得し、ステップＳ１３０〜ステップＳ１４０と同様の処理を行う。つまり、フィルタ設定部４２は、受信したフィルタ設定信号に自装置のＯＮＵ識別子が設定されているか否かを判定する(ステップＳ２１５）。フィルタ設定部４２は、自装置のＯＮＵ識別子が設定されていると判断した場合、フィルタ設定信号からフィルタ情報を取得し、取得したフィルタ情報を設定したフィルタテーブルをフィルタ情報記憶部４３に書き込む（ステップＳ２２０）。これにより、フィルタ部４４は、配下のＳＴＢ５に自装置宛ての映像信号のフレームの送信を開始する（ステップＳ２２５）。
【００４０】
ＯＮＵ４−ｉを使用しているユーザの契約に変更が発生した場合、ＯＬＴ３に、ＯＮＵ４−ｉに関する変更後の契約情報が外部の装置（図示せず）から通知される（ステップＳ３０５）。ＯＬＴ３の契約情報記憶部３２は、通知された変更後の契約情報を記憶する。フィルタ信号送信部３３は、契約情報記憶部３２に記憶される変更後の契約情報に基づき、ＯＮＵ４−ｉに対する新たなフィルタ設定信号を生成する（ステップＳ３１０）。通信部３１は、フィルタ信号送信部３３が生成したＯＮＵ４−ｉ用の新たなフィルタ設定信号を、アクセス伝送路９を介して全ＯＮＵ４に配信する（ステップＳ３１５）。ＯＬＴ３が送信したフィルタ設定信号は、アクセス伝送路９を介して配信される。
【００４１】
ＯＮＵ４−ｉのフィルタ設定部４２は、上位通信部４１が受信した信号からフィルタ設定信号を取得し、自装置のＯＮＵ識別子が設定されているか否かを判定する(ステップＳ３２０）。フィルタ設定部４２は、自装置のＯＮＵ識別子が設定されていると判断した場合、フィルタ設定信号からフィルタ情報を取得し、取得したフィルタ情報を設定したフィルタテーブルをフィルタ情報記憶部４３に書き込む（ステップＳ３２５）。これにより、フィルタ部４４は、更新されたフィルタテーブルに基づいて、配下のＳＴＢ５に自装置宛ての映像信号のフレームの送信を開始する。
ＯＬＴ３は、ステップＳ３１５の処理を繰り返し、ＯＮＵ４−ｉ宛ての（ＯＮＵ４−ｉ用の）新たなフィルタ設定信号を周期的に送信する。
【００４２】
上述した実施形態によれば、信号の送信方向がＯＬＴからＯＮＵの下り片方向の映像配信システムにおいて、ＳＴＢからの視聴要求を必要とせずに、信頼性高くＯＮＵを制御し、所定の映像配信フレームをＯＮＵ配下まで透過させることができる。従って、従来の双方向型の配信方式と比較し低コストで、かつ従来の限定受信方式と比較して、制御メッセージによる帯域圧迫の少ない映像配信システムを実現することができる。
【００４３】
（第２の実施形態）
第２の実施形態では、第１の実施形態の映像配信システムにおいて、契約しているユーザがその契約を終了した場合、ＯＬＴは、契約を終了したユーザのＯＮＵに対して、一定期間連続してフィルタテーブル消去信号を送信する。フィルタテーブル消去信号は、ＯＮＵが記憶するフィルタテーブルの消去を指示する信号である。これにより、ＯＮＵに設定されているフィルタテーブルを消去し、ＯＮＵ配下への映像信号の配信を停止する。以下では、第１の実施形態との差分を中心に説明する。
【００４４】
図４は、本実施形態の映像配信システム１ａの構成を示す構成図である。同図において、図１に示す第１の実施形態による映像配信システム１と同一の部分には同一の符号を付し、その説明を省略する。映像配信システム１ａが、図１に示す映像配信システム１と異なる点は、ＯＬＴ３に代えてＯＬＴ３ａを備える点、及び、ＯＮＵ４に代えてＯＮＵ４ａを備える点である。
【００４５】
ＯＬＴ３ａが、図１に示すＯＬＴ３と異なる点は、契約情報記憶部３２、フィルタ信号送信部３３に代えて、契約情報記憶部３２ａ、フィルタ信号送信部３３ａを備える点である。契約情報記憶部３２ａは、第１の実施形態の契約情報に加え、ユーザの契約終了を示す契約終了情報をさらに記憶する。フィルタ信号送信部３３ａは、第１の実施形態のフィルタ信号送信部３３と同様の機能を有する。さらに、フィルタ信号送信部３３ａは、ユーザとの契約終了を示す契約終了情報が契約情報記憶部３２に登録されている場合、そのユーザのＯＮＵ４ａに対するフィルタ設定信号の送信を停止し、フィルタテーブル消去信号を、一定期間、連続して継続的に送信する。
【００４６】
ＯＮＵ４ａが、図１に示すＯＮＵ４と異なる点は、フィルタ設定部４２に代えて、フィルタ設定部４２ａを備える点である。フィルタ設定部４２ａは、第１の実施形態のフィルタ設定部４２と同様の機能を有する。さらに、フィルタ設定部４２ａは、自装置宛てのフィルタテーブル消去信号を受信した場合、フィルタ情報記憶部４３に記憶されるフィルタテーブルを消去する。
【００４７】
図５は、映像配信システム１ａの動作概要を示す図である。
映像配信システム１ａにおいて各ＯＮＵ４ａは、図２に示す第１の実施形態の映像配信システム１と同様にフィルタテーブルを設定し、ＯＬＴ３ａから同報配信される映像信号のうち、自装置を使用するユーザが契約により視聴可能な映像データのみを透過させて配下のＳＴＢ５に配信する。
ＯＬＴ３ａのフィルタ信号送信部３３ａは、ユーザとの契約が終了すると、そのユーザのＯＮＵ４ａを特定するＯＮＵ識別子を設定したフィルタテーブル消去信号を、一定期間連続して継続的に送信する。フィルタテーブル消去信号のフォーマットには、第１の実施形態のフィルタ設定テーブルと同様のフォーマットを用いるこができる。
【００４８】
各ＯＮＵ４ａのフィルタ設定部４２ａは、上位通信部４１が受信した信号から、自装置のＯＮＵ識別子が設定されているフィルタテーブル消去信号を抽出する。フィルタ設定部４２ａは、自装置宛てのフィルタテーブル消去信号を受信すると、フィルタ情報記憶部４３に記憶されるフィルタテーブルを消去する。これにより、フィルタ部４４は、ＯＬＴ３ａにより同報配信された映像信号を全て廃棄する。
【００４９】
図６は、映像配信システム１ａにおけるフィルタテーブル消去信号の送受信シーケンス図である。以下では、ｎ台のＯＮＵ４ａのうち、ｉ台目のＯＮＵ４ａをＯＮＵ４ａ−ｉと記載する。ＯＬＴ３ａは、第１の実施形態と同様の処理により、ＯＮＵ４ａ−ｉに対するフィルタ設定信号を周期的に送信している。
【００５０】
ＯＬＴ３ａの配下のＯＮＵ４ａ−ｉを使用しているユーザの契約が終了すると（ステップＳ４０５）、ＯＬＴ３ａにＯＮＵ４ａ−ｉの契約終了を示す契約終了情報が外部の装置（図示せず）から通知される（ステップＳ４１０）。ＯＬＴ３ａの契約情報記憶部３２ａは、通知された契約終了情報を記憶する。フィルタ信号送信部３３ａは、契約情報記憶部３２ａに記憶される契約終了情報に基づき、ＯＮＵ４ａ−ｉに対するフィルタテーブル消去信号を生成する（ステップＳ４１５）。フィルタ信号送信部３３ａは、ＯＮＵ４ａ−ｉに対するフィルタテーブル消去信号の送信を開始する(ステップＳ４２０）。通信部３１は、フィルタ信号送信部３３ａが生成したＯＮＵ４ａ−ｉ用のフィルタテーブル消去信号を、アクセス伝送路９を介して配信する(ステップＳ４２５）。
【００５１】
ＯＮＵ４ａ−ｉのフィルタ設定部４２ａは、上位通信部４１が受信した信号からフィルタテーブル消去信号を取得し、自装置のＯＮＵ識別子が設定されているか否かを判定する(ステップＳ４３０）。フィルタ設定部４２ａは、自装置のＯＮＵ識別子が設定されていないと判断した場合、フィルタテーブル消去信号を廃棄する。フィルタ設定部４２ａは、自装置のＯＮＵ識別子が設定されていると判断した場合、フィルタ情報記憶部４３に記憶されるフィルタテーブルを消去する（ステップＳ４３５）。これにより、フィルタ部４４は、配下のＳＴＢ５への自装置宛ての映像信号のフレームの送信を停止する(ステップＳ４４０）。
【００５２】
ＯＬＴ３ａは、ステップＳ４２５の処理を繰り返し、ＯＮＵ４ａ−ｉ宛ての（ＯＮＵ４ａ−ｉ用の）フィルタテーブル消去信号を一定期間、周期的に送信する。ＯＮＵ４ａ−ｉは、ＯＬＴ３ａから周期的に送信されるフィルタテーブル消去信号を受信して、ステップＳ４３０〜ステップＳ４３５の処理を行う。
【００５３】
ＯＬＴ３ａのフィルタ信号送信部３３ａは、ＯＮＵ４ａ−ｉに対するフィルタテーブル消去信号の送信開始から所定時間経過した後、つまり、ＯＮＵ４ａ−ｉに対するフィルタテーブル消去信号を所定回送信した後、ＯＮＵ４ａ−ｉに対するフィルタテーブル消去信号の送信を停止する(ステップＳ４４５）。
【００５４】
上述した実施形態によれば、ＯＬＴからＯＮＵへの下り片方向通信によって、契約が終了したユーザへの映像配信を停止するよう制御することができるため、第１の実施形態よりもさらに、映像配信システムの信頼性を高くすることができる。
【００５５】
（第３の実施形態）
第３の実施形態では、ＯＮＵは、映像配信サービスの契約期間のみ、映像信号を配下のＳＴＢに転送する。以下では、第１の実施形態との差分を中心に説明する。
【００５６】
図７は、本実施形態の映像配信システム１ｂの構成を示す構成図である。同図において、図１に示す第１の実施形態による映像配信システム１と同一の部分には同一の符号を付し、その説明を省略する。映像配信システム１ｂが、図１に示す映像配信システム１と異なる点は、ＯＬＴ３に代えてＯＬＴ３ｂを備える点、及び、ＯＮＵ４に代えてＯＮＵ４ｂを備える点である。
【００５７】
ＯＬＴ３ｂが、図１に示すＯＬＴ３と異なる点は、契約情報記憶部３２、フィルタ信号送信部３３に代えて、契約情報記憶部３２ｂ、フィルタ信号送信部３３ｂを備える点である。契約情報記憶部３２ｂは、各ユーザの契約情報を記憶する。本実施形態の契約情報は、第１の実施形態の契約情報と同様の情報に加え、ユーザの契約期間の情報をさらに含む。フィルタ信号送信部３３ｂは、ＯＮＵ４ｂ宛に送信するフィルタ設定信号に、そのＯＮＵ４ｂを使用しているユーザの契約期間の終了時刻を示す有効期間情報をさらに設定する。
【００５８】
ＯＮＵ４ｂが、図１に示すＯＮＵ４と異なる点は、フィルタ設定部４２に代えて、フィルタ設定部４２ｂを備える点である。フィルタ設定部４２ｂは、上位通信部４１がＯＬＴ３ｂから受信した信号から自装置宛のフィルタ設定信号を抽出し、抽出したフィルタ設定信号からフィルタ情報及び有効期間情報を取得する。フィルタ設定部４２ｂは、取得したフィルタ情報を設定したフィルタテーブルをフィルタ情報記憶部４３に書き込む。フィルタ設定部４２ｂは、取得した有効期間情報により契約期間の終了時刻となったことを検出すると、フィルタ情報記憶部４３からフィルタテーブルを削除する。
【００５９】
図８は、映像配信システム１ｂの動作概要を示す図である。
ＯＬＴ３ｂのフィルタ信号送信部３３ｂは、各ユーザの映像配信サービスの契約期間を基に、フィルタ設定信号にその契約期間を示す有効期間情報を設定してＯＮＵ４ｂに配信する。ＯＮＵ４ｂのフィルタ設定部４２ｂは、個別に経過時間を管理する機能を有しており、受信したフィルタ設定信号に含まれる有効期間情報が示す契約期間に応じてフィルタテーブルの設定を行う。映像配信システム１ｂは、第１の実施形態の映像配信システム１と同様に、映像信号を同報配信する。ＯＮＵ４ｂのフィルタ部４４は、契約期間が完了すると、自装置の配下のＳＴＢ５への映像信号の配信を停止する。
【００６０】
有効期間情報は、ＯＮＵ４ｂにおいて時刻情報を管理する場合と、時刻情報を持たないが経過時間のみを管理する場合とで、その内容が異なる。
ＯＮＵ４ｂにおいて時刻情報を管理する場合、ＯＬＴ３ｂは、フィルタ設定信号により、契約期間が有効な期限を示す時刻情報を有効期間情報として配信する。ＯＮＵ４ｂのフィルタ設定部４２ｂは、第１の実施形態と同様にフィルタテーブルをフィルタ情報記憶部４３に書き込み、有効期間情報が示す期限となったことを検出すると、フィルタテーブルを削除する。これにより、ＯＮＵ４ｂのフィルタ部４４は、設定された契約期間の期限の時刻を過ぎると、ＯＬＴ３ｂから同報配信された映像信号を廃棄し、ＳＴＢ５への配信を停止する。
【００６１】
なお、フィルタ設定部４２ｂは、有効期間情報をフィルタ情報記憶部４３に書き込み、フィルタ部４４は、有効期間情報により契約期間が終了したことを検出した場合に、映像信号を廃棄するようにしてもよい。この場合、フィルタ設定部４２ｂは、フィルタテーブルの削除を行わなくてもよい。
【００６２】
ＯＮＵ４ｂが経過時間のみを管理する場合、ＯＬＴ３ｂは、フィルタ設定信号により、契約期間が有効な残り期間（有効時間）の値を有効期間情報として配信する。ＯＬＴ３ｂのフィルタ信号送信部３３ｂは、所定の時間間隔で継続的にフィルタ設定信号を送信する。従って、フィルタ設定信号に設定される残り期間（有効時間）は、送信の都度、送信の間隔に対応する分だけ減少した値となる。ＯＮＵ４ｂのフィルタ設定部４２ｂは、第１の実施形態と同様にフィルタテーブルをフィルタ情報記憶部４３に書き込み、残り期間が０であることを示す有効期間情報を受信した場合や、最後に有効期間情報を受信したときから、その有効期間情報が示す残り期間が経過した場合に、フィルタテーブルを削除する。
【００６３】
図９は、映像配信システム１ｂにおけるフィルタ設定信号の送受信シーケンス図である。以下では、ｎ台のＯＮＵ４ｂのうち、ｉ台目のＯＮＵ４ｂをＯＮＵ４ｂ−ｉと記載する。
ＯＬＴ３ｂに、配下のＯＮＵ４ｂ−ｉに関する新規の契約情報が外部の装置（図示せず）から通知される(ステップＳ５０５）。契約情報には、ユーザが視聴可能な映像に関する情報と、ユーザが使用するＯＮＵ４ｂ−ｉの識別情報と、契約期間の情報とが含まれる。ＯＬＴ３ｂの契約情報記憶部３２ｂは、通知された新規の契約情報を記憶する。フィルタ信号送信部３３ｂは、契約情報記憶部３２ｂに記憶される契約情報に基づき、ＯＮＵ４ｂ−ｉに対するフィルタ設定信号を生成する（ステップＳ５１０）。フィルタ信号送信部３３ｂは、フィルタ設定信号に、ＯＮＵ４ｂ−ｉのフィルタ情報及びＯＮＵ４ｂ−ｉのＯＮＵ識別子に加え、契約期間に基づく有効期間情報を設定する。このフィルタ設定信号を、効期間情報付きフィルタ設定信号と記載する。フィルタ信号送信部３３ｂは、ＯＮＵ４ｂ−ｉに対する有効期間情報付きフィルタ設定信号の送信を開始する(ステップＳ５１５）。通信部３１は、フィルタ信号送信部３３ｂが生成したＯＮＵ４ｂ−ｉ用の有効期間情報付きフィルタ設定信号を、アクセス伝送路９を介して配信する(ステップＳ５２０）。
【００６４】
一方、ユーザ宅にＯＮＵ４ｂ−ｉが設置され、電源が起動される(ステップＳ５２５）。起動後、ＯＮＵ４ｂ−ｉのフィルタ設定部４２ｂは、上位通信部４１が受信した信号から有効期間情報付きフィルタ設定信号を取得し、自装置のＯＮＵ識別子が設定されているか否かを判定する(ステップＳ５３０）。フィルタ設定部４２ｂは、自装置のＯＮＵ識別子が設定されていないと判断した場合、有効期間情報付きフィルタ設定信号を廃棄する。フィルタ設定部４２ｂは、自装置のＯＮＵ識別子が設定されていると判断した場合、有効期間情報付きフィルタ設定信号からフィルタ情報及び有効期間情報を取得し、取得したフィルタ情報及び有効期間情報を設定したフィルタテーブルをフィルタ情報記憶部４３に書き込む（ステップＳ５３５）。これにより、フィルタ部４４は、配下のＳＴＢ５に自装置宛ての映像信号のフレームの送信を開始する（ステップＳ５４０）。つまり、フィルタ部４４は、ＯＬＴ３ｂから同報配信される映像信号のうち、フィルタテーブルに受信を許可することが設定されている映像信号については下位通信部４５に透過し、他の映像信号は廃棄する。下位通信部４５は、フィルタ部４４が透過させた映像信号のフレームを配下のＳＴＢ５に送信する。
【００６５】
ＯＬＴ３ｂは、ステップＳ５２０の処理を繰り返し、ＯＮＵ４ｂ−ｉ宛ての（ＯＮＵ４ｂ−ｉ用の）有効期間情報付きフィルタ設定信号を周期的に送信する。ＯＮＵ４ｂ−ｉは、ＯＬＴ３ｂから周期的に送信される有効期間情報付きフィルタ設定信号を受信して、ステップＳ５３０〜ステップＳ５３５の処理を行う。
【００６６】
ＯＬＴ３ｂのフィルタ信号送信部３３ｂは、ＯＮＵ４ｂ−ｉのユーザとの契約期間が満了すると、有効期間情報付きフィルタ設定信号の送信を終了する（ステップＳ５４５）。ＯＮＵ４ｂのフィルタ設定部４２ｂは、フィルタテーブルに設定される有効期間情報により契約期間が終了したことを検出すると、フィルタテーブルを消去する（ステップＳ５５０）。これにより、フィルタ部４４は、配下のＳＴＢ５への自装置宛ての映像信号のフレームの送信を停止する。
【００６７】
なお、上記実施形態では、契約期間の期限となったときに、ＯＮＵ４ｂが全ての映像信号の配信を停止しているが、ユーザが視聴可能な映像ごとに異なる有効期間情報を設定してもよい。ＯＬＴ３ｂのフィルタ信号送信部３３ｂは、有効期間情報付きフィルタ設定信号に、ユーザが視聴可能な各映像の有効期間情報を設定する。各映像は、配信サーバ２のＭＡＣアドレスやＩＰアドレスなど、配信元の配信サーバ２を特定する情報により特定してもよく、配信サーバ２が属する配信チャネルや、ＶＬＡＮ−ＩＤなどを用いて特定してもよい。ＯＮＵ４ｂのフィルタ設定部４２ｂは、有効期間情報が示す契約期間の期限となった映像を、フィルタテーブルに設定されている透過対象の映像から削除し、配信を停止する。
また、本実施形態を第２の実施形態に適用してもよい。
【００６８】
本実施形態によれば、ＯＬＴからＯＮＵへの下り片方向通信によって、契約期間のみユーザへの映像配信を可能とする。
【００６９】
以上説明した実施形態によれば、映像配信システムは、ＯＬＴからＯＮＵへの片方向通信を行うＰＯＮシステムを利用して、ＯＬＴの上位の配信サーバから送信される映像信号を、ＯＮＵの配下のＳＴＢなどの装置に配信する。ＯＬＴは、ＯＮＵに対する契約情報に基づいて、そのＯＮＵが利用可能な映像信号を透過し、他の映像信号を廃棄するよう指示するフィルタ設定信号を、そのＯＮＵ宛てに所定の時間間隔で連続して継続的に送信する。ＯＮＵは、ＯＬＴから自装置宛てのフィルタ設定信号を受信した場合に、そのフィルタ設定信号に基づいて、透過対象の映像信号を示す情報を、フィルタ情報記憶部が記憶するフィルタテーブルに書き込む。ＯＮＵは、フィルタテーブルに従って、ＯＬＴから受信した映像信号のうち、透過対象の映像信号を配下の装置に送信し、他の映像信号を廃棄する。
なお、ＯＮＵは、自装置が電源を停止した際に、フィルタ情報記憶部に記憶していたフィルタテーブルを消去する。ＯＮＵは、フィルタ情報記憶部にフィルタテーブルが記憶されていない場合、全ての映像信号を破棄する。
また、ＯＬＴは、ＯＮＵに対する契約終了時に、そのＯＮＵ宛てにフィルタテーブルの消去を指示するフィルタテーブル消去信号を、一定の期間連続して送信する。ＯＮＵは、自装置宛のフィルタテーブル消去信号を受信すると、フィルタ情報記憶部に記憶していたフィルタテーブルを消去する。
また、フィルタ設定信号には、各ＯＮＵにおいて映像信号が透過可能な有効期間の情報を設定してもよい。ＯＮＵは、フィルタ設定信号に設定されている有効期間の情報に基づいて、ＯＬＴから受信した映像信号のうち、有効期間において透過させる映像信号を配下の装置に送信し、他の映像信号を廃棄する。
【００７０】
従って、以上説明した実施形態によれば、従来システムでは必要であった上り方向の信号送信及び受信機能が不要であるため、経済的で、かつ従来の限定受信方式と比較し制御メッセージによる帯域圧迫の少ない映像配信用のＰＯＮシステムを実現できる。
【００７１】
上述した実施形態におけるＯＬＴ３、ＯＬＴ３ａ及びＯＬＴ３ｂ、ならびに、ＯＮＵ４、ＯＮＵ４ａ及びＯＮＵ４ｂの一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００７２】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００７３】
片方向通信により映像を配信するシステムに利用可能である。
【符号の説明】
【００７４】
１、１ａ、１ｂ…映像配信システム
２…配信サーバ
３、３ａ、３ｂ…ＯＬＴ
４、４ａ、４ｂ…ＯＮＵ
５…ＳＴＢ
６…視聴端末
８…中継ＮＷ
９…アクセス伝送路
３１…通信部
３２、３２ａ、３２ｂ…契約情報記憶部
３３、３３ａ、３３ｂ…フィルタ信号送信部
４１…上位通信部
４２、４２ａ、４２ｂ…フィルタ設定部
４３…フィルタ情報記憶部
４４…フィルタ部
４５…下位通信部
【図１】
0006475649.tif 000002
【図２】
0006475649.tif 000003
【図３】
0006475649.tif 000004
【図４】
0006475649.tif 000005
【図５】
0006475649.tif 000006
【図６】
0006475649.tif 000007
【図７】
0006475649.tif 000008
【図８】
0006475649.tif 000009
【図９】
0006475649.tif 000010
【図１０】
0006475649.tif 000011